(57)【特許請求の範囲】
【請求項１】
ビデオカメラ本体に、バッテリーを内蔵できるバッテリー収納部を備えたビデオカメラであって、前記バッテリーの収納口を閉じるバッテリー扉と、前記バッテリー扉の内側に位置し前記バッテリー収納部の端部に回動自在に設けられた回転板と、前記バッテリー扉の内側に固定されかつ前記バッテリー扉の内面との間に前記回転板を位置させる扉板と、前記回転板に設けられたスリットと、前記扉板に弾性変形自在に設けられかつ前記バッテリー扉を前記バッテリー収納部に対して閉めた状態で前記スリットに係合する曲げ部と、前記バッテリー扉に設けられ外部より押圧することで前記曲げ部を押圧する第１の凸部と、前記バッテリー収納部の角に設けられた角穴と、前記バッテリー扉に設けられかつ前記バッテリー扉を前記バッテリー収納部に対して閉めた状態で前記角穴に係合する第２の凸部とを備え、前記バッテリー扉を前記バッテリー収納部に対して閉めた状態から開く際、前記バッテリー扉の一部を押圧することで前記第１の凸部が前記曲げ部近傍を押圧することで前記曲げ部の前記スリットに対する係合が外れ、前記バッテリー扉を前記回転板に対して所定量スライドさせることで前記角穴と前記第２の凸部との係合が外れ、前記バッテリー扉を前記バッテリー収納部に対して開閉可能になることを特徴とするバッテリー着脱機構。
【発明の詳細な説明】
【０００１】
【発明の属する技術分野】
本発明は、本体にバッテリーを内蔵できるように設けられたバッテリー収納部を備えたビデオカメラであって、バッテリーの収納口を閉じるバッテリー扉を備えたことを特徴とするバッテリー着脱機構に関するものである。
【０００２】
【従来の技術】
近年、ビデオカメラは、バッテリーの容積も含めて小型化が著しい。
【０００３】
図８に、上述したバッテリー着脱機構を備えたビデオカメラのバッテリー扉を閉じた状態の構成斜視図を示す。図９に、同じくバッテリー着脱機構を備えたビデオカメラのバッテリー扉を開いた状態の構成斜視図を示す。図８と図９において、バッテリー着脱機構は本体内部に設けられ、市場では、このバッテリー着脱機構の小型化と本体の小型化が要求されている。
【０００４】
以下に、従来のバッテリー着脱機構について説明する。
図１０は従来のバッテリー着脱機構の構成を示すものである。図１０において、１０１はビデオカメラ本体のバッテリー収納部で、１０１ａはバッテリー収納部１０１側のバッテリー接続端子部で、１０１ｂはバッテリー収納部１０１に取り付けられたバッテリー押し出しバネである。１０２はバッテリーで、１０２ａはバッテリー１０２側の接続端子部である。１０３はバッテリーロックツマミで、１０３ａはロックツマミ固定ピースで、１０３ｂはロックツマミコイルバネである。１０４はバッテリー扉で、１０４ａはバッテリー扉の回転支点で、１０４ｂはバッテリー扉を開くねじりコイルバネで、１０５が操作する指である。
【０００５】
以上のように構成されたバッテリー着脱機構について、以下その動作について説明する。
【０００６】
従来のバッテリー着脱機構は、図１０に示すようにねじりコイルバネ１０４ｂが、バッテリー扉１０４を開き、バッテリー１０２を挿入すると、ロックツマミバネ１０３ｂの弾性を利用してバッテリーロックツマミ１０３ｂが、バッテリー１０２の端面に掛かり固定されるようになっている。
【０００７】
【発明が解決しようとする課題】
しかしながら上記の従来の構成では、コイルバネとロックピース固定ピースのスペースが必要になっている、また、バッテリーを取り出す時にロックピースの可動スペースも必要になっているので、バッテリーロックツマミ部が大きくなる。またロックピースを操作する際、指がバッテリーに当たり操作しにくいという問題点を有していた。
【０００８】
本発明は上記従来の問題点を解決するもので、バッテリーロックツマミ部の小型化ができ、しかもバッテリーを取り出す操作も容易にでき、さらにバッテリーが不意に落下することを防止するバッテリー着脱機構を提供することを目的とする。
【０００９】
【課題を解決するための手段】
この目的を達成するために本発明のバッテリー着脱機構は、本体にバッテリーを内蔵できるように設けられたバッテリー収納部を備えたビデオカメラであって、バッテリーの収納口を閉じるバッテリー扉を備えた構成を有している。
【００１０】
この構成によって、バッテリー収納機構部の小型化ができ、バッテリーを取り出す操作も容易にでき、さらにバッテリーが不意に落下することを防止できるバッテリー着脱機構が得られる。
【００１１】
【発明の実施の形態】
本発明の請求項１に記載された発明は、本体にバッテリーを内蔵できるように設けられたバッテリー収納部を備えたビデオカメラであって、前記バッテリーの収納口を閉じるバッテリー扉と、前記バッテリー扉の内側に位置し前記バッテリー収納部の端部に回動自在に設けられた回転板と、前記バッテリー扉の内側に固定されかつ前記バッテリー扉の内面との間に前記回転板を位置させる扉板と、前記回転板に設けられたスリットと、前記扉板に弾性変形自在に設けられかつ前記バッテリー扉を前記バッテリー収納部に対して閉めた状態で前記スリットに係合する曲げ部と、前記バッテリー扉に設けられ外部より押圧することで前記曲げ部を押圧する第１の凸部と、前記バッテリー収納部の角に設けられた角穴と、前記バッテリー扉に設けられかつ前記バッテリー扉を前記バッテリー収納部に対して閉めた状態で前記角穴に係合する第２の凸部とを備え、前記バッテリー扉を前記バッテリー収納部に対して閉めた状態から開く際、前記バッテリー扉の一部を押圧することで前記第１の凸部が前記曲げ部を押圧することで前記曲げ部の前記スリットに対する係合が外れ、前記バッテリー扉を前記回転板に対して所定量スライドさせることで前記角穴と前記第２の凸部との係合が外れ、前記バッテリー扉を前記バッテリー収納部に対して開閉可能になることを特徴とするものであり、バッテリー収納部の小型化ができ、バッテリーを取り出す操作も容易にでき、しかもバッテリーが不意に落下することを防止できるという作用を有する。
【００１６】
以下、本発明の実施の形態について、図１から図５を用いて説明する。
（実施の形態１）
図１は本発明のバッテリー着脱機構の構成を示す分解斜視図であり、図１において、１はバッテリー２を固定するロックツマミを示し、ロックツマミ１にはバッテリー２を挿入する時に当てて案内する傾斜面１ａとバッテリー２を取り出す時に操作する第３の凸部１ｂとバッテリー２を固定する面１ｃと弾性を利用した付勢弾性体である板バネ１ｄを有し、ビス３ａで、ビデオカメラ本体のバッテリー収納部３に取り付けられている。バッテリー２はロックツマミ１の固定面１ｃと係合する凹部２ａと本体と電気接続するバッテリー接続部２ｂを有している。
【００１７】
３はビデオカメラ本体のバッテリー収納部を示し、収納部３には本体接続部３ｂとバッテリー押し出しバネ３ｃと角穴３ｄと軸受け部３ｅと回転板の曲げ部６ｄに係合する第４の凸部３ｆを有している。
【００１８】
４はバッテリー扉を示し、バッテリー扉４には扉板５を押す第１の凸部４ａと第１の凸部４ａを容易に変動可能にするスリット４ｂと収納部の角穴３ｄに係合する第２の凸部４ｃを有し、バッテリー扉４は回転板６を介して、扉板５にビス４ｅで取り付けられている。扉板５にはバッテリー扉４をスライドロックさせる曲げ部５ａと回転板の穴６ｂに係合する第５の凸部５ｂを有している。回転板６にはスリット６ａと穴６ｂと回転支点となるカーリング部６ｃと回動時にクリックを出す曲げ部６ｄを有し、回転板６はビス７で軸受け部３ｅに回動可能に取り付けられている。
【００１９】
以上のように構成されたバッテリー着脱機構について、図２を用いてその動作を説明する。
【００２０】
図２は、バッテリーが固定された状態の平面断面図で、ロックツマミ１は板バネ１ｄで矢印の方向に付勢されているため、ロックツマミの固定面１ｃがバッテリー２の凹部２ａに係合され、バッテリー２がバッテリー収納部３に固定されている。この時、バッテリー接続部２ｂは収納部接続部３ｂと導通があり、バッテリー押し出しバネ３ｃはバッテリー２と当接し、押し出す方向に圧力をかけている。
【００２１】
ここで、図３に示すように、バッテリー扉４を左右移動してかつ回動させて開いた後、ロックツマミ１を矢印方向に操作するとロックツマミ１の固定部１ｃがバッテリー２の凹部２ａより外れる。この時、ロックツマミ１は、ビデオカメラ本体よりも外の空いた空間１ｅを利用することができ、ビデオカメラ本体の小型化ができる。またロックツマミ１を操作する空間が確保できるためバッテリー２を取り出す操作が安易になる。
【００２２】
図４は、バッテリー扉を閉じた状態の平面断面図で、扉板５は矢印の方向に付勢されているため、扉板の曲げ部５ａが回転板のスリット６ａに係合され、バッテリー扉４がバッテリー収納部３に固定されている。
【００２３】
ここで、図５に示すように、バッテリー扉４のスリット部４ｂを上（矢印）方向に操作するとバッテリー扉４の第１の凸部４ａが扉板５の曲げ部５ａを押し上げる。この時、扉板の曲げ部５ａが回転板のスリット６ａから外れる。更に、横方向に操作力を与えるとバッテリー扉４は横方向に移動可能となる。このように、上方向と横方向に操作することでバッテリー扉が不意に開くことを防止でき、更には、バッテリーが不意に落下することを防止できる。また、バッテリー扉のロックツマミ部の小型を可能にし、ビデオカメラ本体の小型化が安易になる。
【００２４】
図６は、バッテリー扉を閉じた状態の平面断面図で、回転板６の曲げ部６ｄは矢印の方向に付勢されているため、回転板６の曲げ部６ｄがバッテリー収納部３の第４の凸部３ｆに係合され、バッテリー扉４がバッテリー収納部３に固定されている。
【００２５】
ここで、図７に示すように、バッテリー扉４をスライドして回転すると回転板６の曲げ部６ｄの角度に合わせて止まり、途中でクリックを有する。バッテリー扉の開閉性の向上を容易にでき、しかもバッテリー着脱が容易になる。
【００２６】
なお、以上説明した実施の形態において、付勢弾性体は板バネ１ｄとしたが、コイルバネで構成してもよい。また、ロックツマミ１とバッテリー収納部３は別部品にしたが、一体にしても同様の効果が得られることはいうまでもない。
【００２７】
【発明の効果】
以上のように本発明は、バッテリーロックツマミ部の小型化を容易にでき、バッテリー収納部の小型化ができる、ビデオカメラ本体の小型化ができる。また、バッテリー扉の開閉性の向上を容易にでき、しかもバッテリー着脱が容易にでき、さらにバッテリーが不意に落下することを防止できる優れた効果が得られる。
【図面の簡単な説明】
【図１】本発明の実施の形態１におけるバッテリー着脱機構の分解斜視図
【図２】同、バッテリーが固定された状態の平面断面図
【図３】同、バッテリーが着脱される状態の平面断面
【図４】同、バッテリー扉を閉じた状態の平面断面図
【図５】同、バッテリー扉を移動した状態の平面断面図
【図６】同、バッテリー扉を閉じた状態の平面断面図
【図７】同、バッテリー扉を移動した状態の平面断面図
【図８】同、バッテリー着脱機構を備えたビデオカメラのバッテリー扉を閉じた状態の構成斜視図
【図９】同、バッテリー着脱機構を備えたビデオカメラのバッテリー扉を開いた状態の構成斜視図
【図１０】従来のバッテリー着脱機構の構成図
【符号の説明】
１  ロックツマミ
１ａ  バッテリー２を挿入する時に当てて案内する傾斜面
１ｂ  第３の凸部
１ｃ  バッテリー２を固定する面
１ｄ  弾性を利用する板バネ
２  バッテリー
２ａ  ロックツマミの固定面１ｃと係合する凹部
２ｂ  本体と電気接続するバッテリー接続部
３  ビデオカメラ本体のバッテリー収納部
３ａ  ビス
３ｂ  本体接続部
３ｃ  バッテリー押し出しバネ
３ｄ  角穴
３ｅ  軸受け部
３ｆ  第４の凸部
４  バッテリー扉
４ａ  第１の凸部
４ｂ  スリット
４ｃ  第２の凸部
４ｅ  ビス
５  扉板
５ａ  バッテリー扉４をスライドロックさせる曲げ部
５ｂ  第５の凸部
６  回転板
６ａ  スリット
６ｂ  穴
６ｃ  カーリング部
６ｄ  クリックを出す曲げ部
７  ビス
１０１  ビデオカメラ本体のバッテリー収納部
１０１ａ  バッテリー収納部１０１側のバッテリー接続端子部
１０１ｂ  バッテリー押し出しバネ
１０２  バッテリー
１０２ａ  バッテリー１０２側の接続端子部
１０３  バッテリーロックツマミ
１０３ａ  ロックツマミ固定ピース
１０３ｂ  ロックツマミコイルバネ
１０４  バッテリー扉
１０４ａ  バッテリー扉の回転支点
１０４ｂ  バッテリー扉を開くねじりコイルバネ
１０５  操作する指
【図１】
0003675088.tif 000002
【図２】
0003675088.tif 000003
【図３】
0003675088.tif 000004
【図４】
0003675088.tif 000005
【図５】
0003675088.tif 000006
【図６】
0003675088.tif 000007
【図７】
0003675088.tif 000008
【図８】
0003675088.tif 000009
【図９】
0003675088.tif 000010
【図１０】
0003675088.tif 000011